(57)【特許請求の範囲】
【請求項１】
画像を表示するための映像表示手段と、
視認される画像を、単一画像表示モードと複数画像表示モードとに電気的に切り替えるための表示切替手段とを備える表示装置において、
上記表示切替手段は、単一画像表示モードでは、映像表示手段に表示される画像をどの方向からでも視認可能とし、複数画像表示モードでは、正面方向からは映像表示手段に表示される画像を視認可能とし、斜め方向からは映像表示手段に表示される画像に該表示切替手段にて形成されるパターン画像を重ねた画像を視認させるものであると共に、
上記表示切替手段は、第１の領域と第２の領域とに領域分割されており、
単一画像表示モードでは、上記第１の領域および第２の領域ともに、映像表示手段に表示される画像をどの方向からでも視認可能であり、
複数画像表示モードでは、左右方向からの視線に対して上記第１の領域を非透過領域とするパターン画像を映像表示手段にて表示される画像に重ねた画像を視認させるか、あるいは、上下方向からの視線に対して上記第２の領域を非透過領域とするパターン画像を映像表示手段にて表示される画像に重ねた画像を視認させるものであり、
上記表示切替手段は、一対の基板間に配された液晶層であると共に、さらに、上記表示切替手段に一定方向の直線偏光を入射させる第１偏光手段と、上記表示切替手段から出射する光のうち一定方向の直線偏光を取り出す第２偏光手段とを備えており、
上記液晶層の液晶分子を基板と直交する方向から投射した場合の液晶分子の長軸方向と、上記液晶分子に入射する光の直線偏光方向とが、上記第１の領域および第２の領域の一方では常に略平行、他方では略垂直となるように配向分割されており、
上記第２の偏光手段が、上記液晶分子から出射する直線偏光を取り出しており、
単一画像表示モードでは、上記第１の領域および第２の領域ともに、液晶分子の長軸方向が上記基板と略平行または略垂直となるように配向されており、
複数画像表示モードでは、上記第１の領域および第２の領域の少なくとも一方において、液晶分子の長軸方向が基板に対して傾斜するように配向されており、
上記複数画像表示モードにおいては、上記液晶層に電圧を印加するための透明電極膜を上記第１および第２の領域に分割してパターニングすることによって、上記第１の領域および上記第２の領域における視野角制御を独立して行える表示装置。
【請求項２】
請求項１に記載の表示装置を搭載している電子機器。
【発明の詳細な説明】
【技術分野】
【０００１】  本発明は表示装置に関し、特に視線方向によって視認される画像が変わるモードに切り替えできる表示装置に関するものである。
【背景技術】
【０００２】  近年、電子機器の軽量化が進んでおり、携帯電話機やモバイルパソコン等ディスプレイを有する電子機器も、持ち出して公共の場で使用できるようになっている。この場合、機密文書や個人的に閲覧したい情報がそばにいる人にも見えてしまうという問題が生じていた。【０００３】  この問題に対応して、通常は広視野角表示モードに設定でき、公共の場へ持ち出して使用する場合には、狭視野角表示モードに切り替えられる表示装置が提案されている。なお、狭視野角表示モードとは、使用者のいるディスプレイ真正面からは通常どおりの表示画像が視認でき、斜め方向からは無地画像または別の画像が見えるモードである。また、広視野角表示モードへの切り替えを可能とすることで、撮影した画像を多人数で見たいときなど広視野角が求められる場合にも対応できる。【０００４】  このような表示を行うための部品として、例えば、日本国公開特許公報である特開平９−１０５９５８号公報（特許文献１、公開日：１９９７年４月２２日）に開示される視野角可変素子は、一対の基板の間の液晶層が、基板に対して垂直方向に液晶分子が配向することで狭視野角となり、平行方向に配向することで広視野角となっている。また、日本国公開特許公報である特開２００４−６２０９４号公報（特許文献２、公開日：２００４年２月２６日）には、２枚のガラス板の間の液晶の配向を変更することにより、情報表示手段の視野角を変更する視野角変更手段が記載されている。【０００５】  さらに、表示装置をいくつかの区画に分け、それぞれの区画で液晶配向方向等を異ならせることで、狭視野角表示モードにおいて、正面以外の方向からディスプレイを見た場合に、ディスプレイに表示されたものとは異なる別の画像が視認できるようにする構成のものもある。例えば、日本国公開特許公報である特開２００１−２６４７６８号公報（特許文献３、公開日：２００１年９月２６日）には、液晶層を挟む配向膜が複数の領域に区画され、隣接する前記領域の配向方向が異なる液晶表示装置が開示されている。また、日本国公開特許公報である特開２００４−３８０３５号公報（特許文献４、公開日：２００４年２月５日）には、視角方向が異なる第１の液晶セルと第２の液晶セルとを交互に配する液晶表示装置が開示されている。【０００６】  しかしながら、昨今の携帯電話機においては、表示部を通常の縦置きにして観察する以外に、表示部を横置きにしてテレビ画像などを表示する場合があり、表示部の向きをユーザー自身が選択して使用するシーンが今後増大する傾向にある。【０００７】  これに対し、上記特許文献１および４の何れにおいても、狭視野角表示モード時において視野角制御によって斜めからの画面認識を防止する方向は、一方向（水平方向）しか考慮されていない。すなわち、左右方向の斜めからの視線に対しては画像認識を防止することはできるが、上下方向の斜めからの視線に対しては画像認識を防止することはできない。【０００８】  このように従来技術では、視野角制御によって画面認識を防止できる方向が左右方向に限定されているために、通常の縦置きにて観察する場合には、視野角を制御してプライバシーの保護を達成できるが、横置きにて観察する場合には、上下方���の視野角制御を行うこととなり、左右にいる他人へのプライバシーの保護を達成することができなかった。【０００９】  また、表示部を縦置きにして使用する場合でも、携帯電話機を用いて電車の車内で立った状態でメールを使用する場合などには、後方から使用者の肩越しにディスプレイが視認できる場合がある。このような場合に後方からの画像認識を防止するためには、上下方向の斜めからの視線に対しては画像認識を防止することが重要となる。このため、狭視野角表示モードにおいては、左右方向のみならず上下方向の斜めからの視線に対しても、画像認識を防止可能とすることが求められる。
【発明の開示】
【００１０】  本発明の目的は、広視野角表示モードと狭視野角表示モードとの切り替えを可能とする表示装置において、狭視野角表示モード時に、上下方向と左右方向との両方の視野角を制御し、左右および上下方向の斜めからの視線に対して画像認識を防止可能とする表示装置を実現することにある。
【００１１】  本発明に係る表示装置は、上記目的を達成するために、画像を表示するための映像表示手段と、視認される画像を、単一画像表示モードと複数画像表示モードとに電気的に切り替えるための表示切替手段とを備える表示装置において、上記表示切替手段は、単一画像モードでは、映像表示手段に表示される画像をどの方向からでも視認可能とし、複数画像表示モードでは、正面方向からは映像表示手段に表示される画像を視認可能とし、斜め方向からは映像表示手段に表示される画像に該表示切替手段にて形成されるパターン画像を重ねた画像を視認させるものであると共に、上記表示切替手段は、第１の領域と第２の領域とに領域分割されており、単一画像モードでは、上記第１の領域および第２の領域ともに、映像表示手段に表示される画像をどの方向からでも視認可能であり、複数画像表示モードでは、左右方向からの視線に対して上記第１の領域を非透過領域とするパターン画像を映像表示手段にて表示される画像に重ねた画像を視認させるか、あるいは、上下方向からの視線に対して上記第２の領域を非透過領域とするパターン画像を映像表示手段にて表示される画像に重ねた画像を視認させることを特徴としている。
【００１２】  上記の構成によれば、上記映像表示手段にて表示される画像は、複数画像表示モード時における斜め方向からの視線に対し、上記表示切替手段によって形成されるパターン画像を重ねられることでその視認を防止される。
【００１３】  さらに、上記表示切替手段は、第１の領域と第２の領域とに領域分割され、第１の領域にて左右方向の斜めからの視認を防止し、第２の領域にて上下方向の斜めからの視認を防止することで、左右および上下方向の斜めからの視線に対して画像認識を防止可能とする表示装置を実現することができる。
【図面の簡単な説明】
【００１４】
【図１】本発明の実施形態に係る携帯電話機の表示部の断面図を示す図である。
【図２】本発明の実施形態に係る携帯電話機を示す図である。
【図３】本発明の実施形態に係る携帯電話機において、斜め方向からの視認が防止されないモード時の表示部を示し、同図（ａ）は表示部の表示面に向かって見た図面を、同図（ｂ）はＡ−Ａ’断面を示す断面図を、同図（ｃ）はＢ−Ｂ’断面を示す断面図である。
【図４】本発明の実施形態に係る携帯電話機において、斜め方向からの視認が防止されるモード時の表示部を示し、同図（ａ）はＡ−Ａ’断面を示す断面図を、同図（ｂ）はＢ−Ｂ’断面を示す断面図である。
【図５】本発明の他の実施形態に係る携帯電話機が単一画像表示モードに設定されているときの表示部を示し、同図（ａ）はＡ−Ａ’断面を示す断面図を、同図（ｂ）はＢ−Ｂ’断面を示す断面図である。
【図６】本発明の実施形態に係る携帯電話機において、斜め方向からの視認が防止されない図３のと異なる他のモード時の表示部を示し、同図（ａ）は表示部の表示面に向かって見た図面を、同図（ｂ）はＡ−Ａ’断面を示す断面図を、同図（ｃ）はＢ−Ｂ’断面を示す断面図である。
【図７】本発明の実施形態に係る携帯電話機において、斜め方向からの視認が防止される図４とは異なる他のモード時の表示部を示し、同図（ａ）はＡ−Ａ’断面を示す断面図を、同図（ｂ）はＢ−Ｂ’断面を示す断面図である。
【図８】本発明の他の実施形態に係る携帯電話機が単一画像表示モードに設定されているときの表示部を示し、同図（ａ）はＡ−Ａ’断面を示す断面図を、同図（ｂ）はＢ−Ｂ’断面を示す断面図である。
【図９】本発明の実施の形態にかかるＳＷ−ＬＣＤにおいて、視線の仰角と透過率との関係を示す図面である。
【図１０】本発明の実施の形態にかかるＳＷ−ＬＣＤにおいて、視線の仰角と透過率との関係を示す図面である。
【図１１】本発明の実施の形態にかかるＳＷ−ＬＣＤにおいて、配向膜における領域分割を示す平面図である。
【図１２】本発明の実施の形態にかかるＳＷ−ＬＣＤにおいて、透明電極膜における領域分割を示す平面図である。
【図１３】本発明の他の実施形態に係る携帯電話機の表示部の断面図を示す図である。
【図１４】本発明の実施形態に係る携帯電話機の、狭視野角表示モード時の斜め方向からの表示部の視認画面を示す平面図である。
【図１５】本発明の実施形態に係る携帯電話機の表示部の断面図を示す図である。
【発明を実施するための最良の形態】
【００１５】  本発明の一実施形態について図面に基づいて説明すると以下の通りである。【００１６】  図２は、本発明の一実施形態である携帯電話機（電子機器）１の外観を示している。本実施形態の携帯電話機１は、いわゆるクラムシェル型であり、同図に開いた状態で示されている。図２は、携帯電話機１を閉じたときに内側となる部分であり、携帯電話機１を開いたときに利用者が主に利用する側である。そこで、本願では図２に示される側を前面側とする。【００１７】  図２に示すように、携帯電話機１は、本体２と、蓋体３とからなり、本体２と蓋体３とはヒンジ状に連結している。蓋体３には、前面側に表示部（表示装置）４が設けられている。【００１８】  本体２には、前面側にメイン操作ボタン群６が設けられている。メイン操作ボタン群６は、携帯電話機１における各種設定や機能切替を行うための機能ボタン群７と、数字や文字などの記号を入力するための入力ボタン群８とから構成されている。具体的には、機能ボタン群７は、携帯電話の電源のＯＮ／ＯＦＦを切替る電源ボタン、撮影モードを起動させるカメラボタン、メールモードを起動させるメールボタン、選択対象を上下左右方向に移動させるための十字ボタン、該十字ボタンの中央に配置されており種々の選択を決定する決定ボタンなどを含んでいる。また、入力ボタン群８は、テンキーである。【００１９】  本発明の携帯電話機１は、表示部４にメール本文や撮影画像等のメイン画像を表示させた場合に、周囲からは表示部４に別の画像が視認されるようにするものである。以下、このように周囲からメール本文や撮影画像が見えなくなる設定を狭視野角モード（複数画像表示モード）といい、通常どおり、どの角度から見ても表示部４の表示が見えるモードを広視野角モード（単一画面表示モード）という。この狭視野角モードと広視野角モードとは、使用者が、操作ボタンにより任意に設定変更できる。【００２０】  広視野角モードでは、表示部４を真正面から見た場合も（正面方位）、表示部４を斜めから見た場合もメイン画像が視認される。一方、狭視野角モードでは、正面方位ではメイン画像が視認されるが、斜め方位からは、該メイン画像を認識しにくくさせるためのパターン画像が上記メイン画像に重なって視認される。【００２１】  以下に、この表示部４の詳細な構成について説明する。【００２２】  表示部４の断面図を図１に示す。表示部４は、第２偏光板（第２の偏光手段、直線偏光板）１１、スイッチング液晶表示部（表示切替手段、液晶素子。以下ＳＷ−ＬＣＤと称する。）１２、第１偏光板（第１の偏光手段）１３、メイン液晶表示部（画像表示手段、以下メインＬＣＤと称する。）１４、第３偏光板１５をこの順に積層させてなり、第３偏光板側にバックライト１６が設置されている。【００２３】  ここで、第１偏光板１３の偏光透過軸と第２偏光板１１の偏光透過軸の関係は、平行に設定することが望ましいが、メインＬＣＤの特性の要求にしたがって、第１偏光板１３は任意の軸角度を持つ可能性がある。【００２４】  この場合には、任意の軸角度に設定されている第１偏光板１３を出射する直線偏光を、適宜λ／２板などで、第２偏光板１１の透過軸と一致するように偏光方向を回転させること��、第１偏光板１３の偏光透過軸と第２偏光板１１の偏光透過軸とが平行に設定されているときと、同様の効果を得ることができる。【００２５】  なお、第２偏光板１１はＳＷ−ＬＣＤ１２に貼り付けられ、第１偏光板１３と第３偏光板１５とは、メインＬＣＤ１４の両表面に貼り付けられており、ＳＷ−ＬＣＤ１２の第２偏光板１１が貼り付けられていない側とメインＬＣＤとが、第１偏光板１３を介して接着部１７により接着されている。そして、第２偏光板１１がＳＷ−ＬＣＤ１２に貼り付けられたものが視野角制御装置として機能する。また、接着部１７は、熱硬化型や紫外線硬化型の樹脂系接着剤により接着しても良いし、いわゆる両面テープにより固定してもかまわない。又、貼付け領域は、全面接着でも良いし、例えば枠状など部分接着でもかまわない。【００２６】  メインＬＣＤ１４は、透明電極基板４１・４２の間に液晶層４３が封入されており、図示しない制御部にしたがって透明電極基板４１・４２に電圧を印加することで、液晶層４３の液晶分子の配向を変化させて、画像を表示する。メインＬＣＤ１４は、図示しない制御部によって、携帯電話機１の操作画面や写真、メール本文などの画像を表示するように制御されている。メインＬＣＤ１４としては、一般的に知られている液晶表示装置を用いればよい。例えば、アクティブマトリックス駆動方式で駆動されるＴＮ（Ｔｗｉｓｔｅｄ  Ｎｅｍａｔｉｃ）モードの液晶表示装置やＶＡ（Ｖｅｒｔｉｃａｌ  ａｌｉｇｎｍｅｎｔ）モードの表示方式の液晶表示装置等、任意のモードの液晶表示装置を用いることができる。また、メイン液晶表示部１４の代わりに、有機ＥＬ（Ｅｌｅｃｔｒｏｌｕｍｉｎｅｓｃｅｎｃｅ）表示装置やプラズマ表示装置のように自発光型のディスプレイを用いてもよい。なお、自発光型の場合はバックライトは不要である。【００２７】  ＳＷ−ＬＣＤ１２は、基板２１、透明電極膜２６、配向膜２４、液晶層２３、配向膜２５、透明電極膜２７、基板２２、がこの順に形成されている。液晶層２３の液晶分子は、配向膜２５、２７に応じて初期の配向方向が決まり、さらに、透明電極２６、２７への、図示しない制御部からの電圧印加により、配向方向が変化する。そして、この配向方向の変化により、狭視野角モードと広視野角モードとを切り替える。【００２８】  基板２１・２２の間に液晶層２３が配されており、図示しない制御部にしたがって透明電極膜２６・２７に電圧を印加することで、液晶層２３の液晶分子の配向を変化させて、画像を表示する。制御部は、使用者の設定した広視野角モード、あるいは、狭視野角モードによって、液晶層２３の液晶分子の配向方向を、広視野角モード用あるいは狭視野角モード用の配向方向に変更する。なお、配向膜２４・２５は何れか一方だけ設けてもよい。【００２９】  バックライト１６は、表示のための光を供給する。第３偏光板１５は、メインＬＣＤ１４に入る前のバックライト１６の光から一定方向の直線偏光を取り出す。第１偏光板１３は、メインＬＣＤ１４を透過し、ＳＷ−ＬＣＤ１２に入射する前の光から一定方向の直線偏光を取り出す。第２偏光板１１は、メインＬＣＤ１４およびＳＷ−ＬＣＤ１２を透過したバックライト光から一定方向の直線偏光を取り出す。【００３０】  以下にＳＷ−ＬＣＤにおける液晶分子の配向変化と視野角制御との関係について図３〜図１０を用いて、４つのＳＷ−ＬＣＤの液晶分子配向例を説明する。尚、以下の液晶分子配向例１〜４にて説明される例は、表示部４の表示面全面での表示状態を示すものではなく、基本的には表示面の一部領域における表示状態を示すものである。【００３１】  （ＳＷ−ＬＣＤの液晶分子配向例１）
図３（ａ）は携帯電話機１の表示部４の表示面を、メイン−ＬＣＤ１４の画像の上下方向が紙面の上下となるように示したものである。なお、以下、表示画面上の左右方向をｘ方向、上下方向をｙ方向、表示部４の厚さ方向をｚ方向と言う。また、図３〜８では、透明電極膜２６、２７および配向膜２４、２５が配されたものを省略して図示している。【００３２】  まず、図３（ａ）に示すように、第２偏光板１１および第１偏光板１３の偏光透過軸をｙ方向となるように配置する。また、配向膜２４・２５のラビング方向を、第１および第２偏光板１１・１３の偏光透過軸と平行にし、かつ、互いに１８０度逆方向にして、配向方向をアンチパラレル構造にする。そして、配向膜２４・２５として水平配向材のポリイミド材料を使用し、基板２１・２２と略平行となるように液晶分子を配向させる。これにより、液晶分子の長軸方向が上記偏光透過軸と略平行になるように一軸配向される。【００３３】  この場合、図３（ｂ）のＡ−Ａ’断面図に示すとおり、電圧無印加の状態で、ＳＷ−ＬＣＤ１２の液晶分子は第１偏光板１３の偏光透過軸と略平行に一軸配向している。バックライト１６からメインＬＣＤ１４を経てＳＷ−ＬＣＤ１２に入射する光は、第１偏光板１３を透過するので、ＳＷ−ＬＣＤ１２に入射する光の偏光方向と液晶分子の配向方向ａは略一致している。【００３４】  この状態のＳＷ−ＬＣＤ１２をｘ方向にずれながら見た場合の、液晶分子の見え方を示したのが図３（ｃ）である。同図によると、正面方向から液晶分子を投射した場合の形状（観察者３１から見た液晶分子の形状）が液晶分子３５ａのようになり、長軸方向と入射光の偏向方向が略一致している。液晶分子の投影図の長軸方向と入射光の偏光方向とがなす角度が０度の場合には、入射光は複屈折の影響を受けることなく透過するので、この場合はそのままメインＬＣＤ１４の画像が見える。同様に、正面からｘ方向にずれた視点から液晶分子を投射した場合の形状（観察者３２、３３から見た液晶分子の形状）も液晶分子３５ｂ、３５ｃのようになり、長軸方向と入射光の偏向方向が略一致している。よって、メインＬＣＤ１４の画像が見える。つまり、どの方向から見てもメインＬＣＤ１４の画像が見える。【００３５】  一方、視野角制御によって斜め方向からの視認を防止する場合には、電圧無印加の状態から、ｘ方向を軸とした回転により液晶分子が基板２１・２２に対して４５度傾斜するように、透明電極膜２５・２６に交流電圧（例えば、１００Ｈｚ、３Ｖの電圧）をかける。このときの液晶分子の様子を、図４（ａ）（ｂ）に示している。図４（ａ）は、上記Ａ−Ａ’断面を示しており、基板２１・２２に対して４５度傾斜していることがわかる。図４（ｂ）は、上記Ｂ−Ｂ’断面を示しており、液晶分子は紙面法線方向から約４５度傾斜している。【００３６】  この場合、図４（ｂ）に示すように、観察者３１から見た液晶分子、すなわち、正面方向からの液晶分子の投射図が、液晶分子３６ａのようになる。液晶分子の配向変化はｘ軸方向を軸とした回転によるので、第２偏光板１１と第１偏光板１３との偏光方向は、液晶分子３６ａの長軸方向と常に一致する。このため、正面方向から見た場合（図４の観察者３１��見た場合）は、複屈折の影響を受けず、そのままメインＬＣＤ１４の画像が透過する。【００３７】  一方、表示部４に向かって左側にいる観察者３２から見た液晶分子、すなわち、基板２１・２２に向かって左側から投射した液晶分子の投射図は、液晶分子３６ｂのようになる。この場合、第２偏光板１１と第１偏光板１３との偏光方向は、液晶分子投射図（液晶分子３６ｂ）の長軸方向と角度を持つので、液晶分子投射図の長軸方向は入射光の偏光方向と交差角を持つ。よって、観察者３２から見ると、液晶の複屈折の影響でＳＷ−ＬＣＤ１２を光が透過せず、メインＬＣＤ１２の画像が透過しない。【００３８】  同様に、表示部４に向かって右側にいる観察者３３から見た液晶分子、すなわち、基板２１・２２に向かって右側からの液晶分子の投射図が、液晶分子３６ｃのようになる。第２偏光板１１と第１偏光板１３との偏光方向は、投射図の長軸方向と角度を持つので、液晶分子投射図の長軸方向は入射光の偏光方向と交差角を持ち、偏光方向が回転する。よって、観察者３３から見ると、液晶の複屈折の影響でＳＷ−ＬＣＤ１４を光が透過せず、メインＬＣＤ１２の画像が透過しない。【００３９】  以上のような仕組みにより、透明電極膜２６・２７に電圧を印加すると、表示部４を、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてＳＷ−ＬＣＤを光が透過せず、メインＬＣＤ１４の画像が見えなくなる。【００４０】  なお、上述のような視野角制御を行う場合の電圧印加時における液晶分子の配向方向は、基板２１・２２に対して４５度の傾斜に限られるものではなく、基板２１・２２に対して傾斜していればどのような角度の傾斜でもかまわない。つまり、基板２１・２２に略平行時の傾斜角度より大きく、略垂直時の傾斜角度より小さければ（つまり、０度より大きく９０度より小さければ）よい。この傾斜角度としては、好ましくは１０度以上８０度以下であり、より好ましくは４０度以上５０度以下である。これは、傾斜角が４５度に近づくほど複屈折が大きくなり、良好に画像を隠すことができるためである。また、傾斜角が小さいと、駆動電圧が小さくなるので消費電力を低くすることができる。【００４１】  なお、観察者がｙ方向にずれた場合は、液晶分子の投影図の長軸方向が変化しないので、メインＬＣＤ１２が視認できるか否かはｘ方向への視点のずれにのみ依存する。したがって、ｙｚ平面（液晶分子上の点が配向方向を変化させる回転により描く平面）と平行な方向からの視線を正面方向からの視線とする。【００４２】  （ＳＷ−ＬＣＤの液晶分子配向例２）
ＳＷ−ＬＣＤの液晶分子配向例２を図５を用いて説明する。液晶分子配向例２は、ＳＷ−ＬＣＤ１２において、配向膜２４・２５の代わりに、垂直配向材のポリイミド材料を使用した配向膜を使用したＳＷ−ＬＣＤ１２’を用いることで実現される。これにより、図５（ａ）のように、電極基板２１・２２と略垂直となるように液晶分子を配向させられる。【００４３】  この場合、電圧無印加の状態で、ＳＷ−ＬＣＤ１２’の液晶分子は基板２１・２２と略垂直に一軸配向している。すなわち、正面から見た場合は、液晶分子３７ａが真円に見える（投射図が真円のときは、すべての方向が長軸方向であるとみなす）。そして、正面以外の方向から見た場合は、液晶分子３７ｂ・３７ｃのように長軸方向がｘ方向になる。よって、正面方向を含むどの方向から投射した場合でも、長軸方向ｂと入射光の偏向方向とが９０度となる。液晶分子の投影図の長軸方向と入射光の偏光方向とがなす角度が９０度（直角）の場合には、入射光は複屈折の影響を受けることなく透過するので、どの角度から観察しても、そのままメインＬＣＤ１４の画像が見える。【００４４】  一方、視野角制御によって斜め方向からの視認を防止する場合には、電圧無印加の状態から、ｘ方向を軸とした回転により液晶分子が基板２１・２２に対して４５度傾斜するように、透明電極膜２６・２７に交流電圧をかける。このときの液晶分子の様子は、図４に示すＳＷ−ＬＣＤの配向例１の場合と同様である。【００４５】  よって、同様の仕組みにより、透明電極膜２６・２７に電圧を印加すると、表示部４は、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてＳＷ−ＬＣＤを光が透過せず、メインＬＣＤ１４の画像が見えなくなる。【００４６】  （ＳＷ−ＬＣＤの液晶分子配向例３）
図６（ａ）は携帯電話機１の表示部４を、表示画面の上下方向が紙面の上下となるように示したものである。【００４７】  まず、図６（ａ）に示すように、第１偏光板１３および第２偏光板１１の偏光透過軸をｘ方向となるように配置する。そして、配向膜２４・２５のラビング方向を、第１偏光板１３および第２偏光板１１の偏光透過軸と垂直（ｙ方向）にし、かつ、互いに１８０度逆方向にして、配向方向をアンチパラレル構造にする。そして、配向膜２４・２５として水平配向材のポリイミド材料を使用し、基板２１・２２と略平行となるように液晶分子を配向させる。これにより、図６（ｂ）に示すように、液晶分子の長軸方向が偏光板の偏光透過軸と略直角になるように一軸配向される。【００４８】  この場合、図６（ｂ）に示すように、電圧無印加の状態で、ＳＷ−ＬＣＤ１２の液晶分子は、基板２１・２２に平行、かつ、第１偏光板１３の偏光透過軸と直角となるように一軸配向している。バックライト１６からメインＬＣＤ１４を経て入射する光は、第１偏光板１３を透過するので、ＳＷ−ＬＣＤ１２に入射する光の偏光方向と液晶分子の配向方向は直角となる。この状態のＳＷ−ＬＣＤ１２をｘ方向にずれながら見た場合の、液晶分子の見え方を図６（ｃ）に示す。同図によると、正面方向から投射した場合の形状（観察者３１から見た液晶分子の形状）が液晶分子３８ａのようになり、投射された液晶分子の長軸方向ｃと入射光の偏向方向が直角となる。液晶分子の投影図の長軸方向と入射光の偏光方向とがなす角度が９０度の場合には、入射光は複屈折の影響を受けることなく透過するので、どの角度から観察しても、そのままメインＬＣＤ１４の画像が見える。【００４９】  一方、視野角制御によって斜め方向からの視認を防止する場合には、電圧無印加の状態から、ｘ方向を軸とした回転により液晶分子が基板２１・２２に対して４５度傾斜するように、透明電極膜２５・２６に交流電圧をかける。このときの液晶分子の様子を、図７に示している。図７（ａ）は、Ａ−Ａ’断面を示しており、基板２１・２２に対して４５度傾斜していることがわかる。図７（ｂ）は、Ｂ−Ｂ’断面を示しており、液晶分子は紙面法線方向から４５度傾斜している。【００５０】  この場合、図７（ｂ）に示すように、観察者３１から見た液晶分子、すなわち、正面方向からの液晶分子の投射図が、液晶分子３９ａのようになる。液晶分子の配向方向の変化は、ｘ方向を軸とした回転によるので、第２偏光板１１と第１偏光板１３との偏光方向は、液晶分子３９ａの長軸方向と直角となる。よって、液晶分子の投射図と長軸方向と入射光の偏光方向とは略垂直となる。このため、正面方向から見た場合（観察者３１が見た場合）は、複屈折の影響を受けず、そのままメインＬＣＤ１４の画像が透過する。【００５１】  一方、表示部４に向かって左側にいる観察者３２から見た液晶分子、すなわち、基板２１・２２に向かって左側からの液晶分子の投射図が、液晶分子３９ｂのようになる。第２偏光板１１と第１偏光板１３との偏光方向は、投射図の長軸方向と角度を持つので、液晶分子投射図の長軸方向は入射光の偏光方向と交差角持つ。よって、観察者３２から見ると、液晶の複屈折の影響でＳＷ−ＬＣＤ１２を��が透過せず、メインＬＣＤ１２の画像が透過しない。【００５２】  同様に、表示部４に向かって右側にいる観察者３３から見た液晶分子、すなわち、基板２１・２２に向かって右側からの液晶分子の投射図が、液晶分子３９ｃのようになる。第１偏光板１３と第２偏光板１１との偏光方向は、投射図の長軸方向と角度を持つので、液晶分子投射図の長軸方向は入射光の偏光方向と交差角持つ。よって、観察者３３から見ると、液晶の複屈折の影響でＳＷ−ＬＣＤ１２を光が透過せず、メインＬＣＤ１２の画像が透過しない。【００５３】  以上のような仕組みにより、透明電極基膜２６・２７に電圧を印加すると、表示部４を、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてＳＷ−ＬＣＤ１２を光が透過せず、メインＬＣＤ１４の画像が見えなくなる。【００５４】  （ＳＷ−ＬＣＤの液晶分子配向例４）
ＳＷ−ＬＣＤの液晶分子配向例４について、図８を用いて説明する。配向例４は、ＳＷ−ＬＣＤの配向例３において、配向膜２４・２５の代わりに、垂直配向材のポリイミド材料を使用した配向膜を使用したＳＷ−ＬＣＤ１２’を用いることで実現される。これにより、基板２１・２２と略垂直となるように液晶分子を配向させられる。【００５５】  この場合、電圧無印加の状態で、ＳＷ−ＬＣＤ１２’の液晶分子は基板２１・２２と略垂直に一軸配向している。すなわち、図８（ｂ）に示すように、正面から見た場合は、液晶分子４０ａの真円のように見える。そして、正面以外の方向から見た場合は、液晶分子４０ｂ、４０ｃのように長軸方向がｘ方向となるように見える。したがって、液晶分子を基板と直交する方向を含むどの方向から投射した場合でも、長軸方向と入射光の偏向方向が一致する。液晶分子の投影図の長軸方向と入射光の偏光方向とがなす角度が０度（平行）の場合には、入射光は複屈折の影響を受けることなく透過するので、どの角度から観察しても、そのままメインＬＣＤ１４の画像が見える。【００５６】  一方、視野角制御によって斜め方向からの視認を防止する場合には、電圧無印加の状態から、ｘ方向を軸とした回転により液晶分子が基板２１・２２に対して４５度傾斜するように、透明電極膜２６・２７に交流電圧をかける。このときの液晶分子の様子は、図９に示すＳＷ−ＬＣＤの配向方法１と同様である。【００５７】  よって、同様の仕組みにより、透明電極膜２６・２７に電圧を印加すると、表示部４は、正面方向から見た場合（観察者３１が見た場合）は、複屈折の影響を受けずそのままメインＬＣＤ１４の画像が見えるが、正面方向以外から見た場合（観察者３２・３３が見た場合）は、複屈折の影響を受けてＳＷ−ＬＣＤを光が透過せず、メインＬＣＤ１４の画像が見えなくなる。【００５８】  （透過度測定実験）
液晶分子配向例１および３のＳＷ−ＬＣＤを用いて、視野角制御時（電圧印加時）での、視線方向による透過率の変化を測定した。結果を図９，図１０に示す。【００５９】  図９は、液晶分子配向例１のＳＷ−ＬＣＤにおいて視野角制御時（電圧印加時）の測定結果を示すグラフである。測定は、第１偏光板の偏光透過軸が上下方向となるように配置し、表示部４に対して垂直となる方向（法線方向）からの視線（仰角０度）から目標点を変えず視点を左右にずらして行った。なお、視点は仰角０度から、表示部４に対して垂直となる方向と視線とがなす角が８０度となるまで（仰角８０度となるまで）ずらし、視線の仰角と、視線から視認されるＳＷ−ＬＣＤの透過率を測定した。グラフの横軸は仰角を示し、縦軸は透過率を示している。また、ＳＷ−ＬＣＤとしては、正面から見た場合のリターデーションが５００ｎｍ、６００ｎｍ、８００ｎｍ、１０００ｎｍ、１５００ｎｍのものを用いて測定した。【００６０】  これによると、すべて仰角０度で約８５％の最大の透過率を示し、仰角を上げると共に透過率が下がっていった。リターデーション１５００ｎｍのものでは、仰角約３０度で透過率がほぼ０％となり仰角をさらに上げると再び透過率が上昇した。リターデーションが１０００ｎｍのものでは仰角約３８度が、８００ｎｍのものでは仰角約４４度で透過率がほぼ０％となっている。また、リターデーションが６００ｎｍ、５００ｎｍのものでは、それぞれ仰角約５０度、約６０度で最低となり、それ以降仰角を上げても透過率は１０％以下に保たれる。【００６１】  ＳＷ−ＬＣＤとしては、メインＬＣＤを視認されたくない方向に応じて、または、使用環境、メインＬＣＤの輝度等を考慮して決定される、必要な透過率の低下に応じて、リターデーションを決定すればよい。例えば、仰角４５度程度からの視線に対してメインＬＣＤの画像を隠す場合は、この仰角での透過率が低い、５００ｎｍ〜１０００ｎｍのリターデーションを示すＳＷ−ＬＣＤを用いればよい。仰角３０度〜５０度からの視線を中心にメインＬＣＤの画像を隠したい場合は、この範囲で透過率が低い、リターデーション８００ｎｍ〜１０００ｎｍのものを用いればよい。一方、仰角が４０度より大きい範囲からの視線に対してメインＬＣＤの画像を隠したい場合は、この範囲で透過率が低い、リターデーション５００ｎｍ〜６００ｎｍのものを用いればよい。【００６２】  また、図１０は、同様にして液晶分子配向例３のＳＷ−ＬＣＤにおいて視野角制御時（電圧印加時）の測定結果を示すグラフである。図９と比べ、仰角が大きいときの透過率が高くなるので、液晶分子配向例１のように、液晶分子の長軸方向が偏光透過軸と略平行にする方がより好ましい。なお、曲線の特徴は図９と類似しているので、同じようにして最適なリターデーションを選べばよい。【００６３】  本発明に係る表示装置は、左右および上下方向の斜めからの視線に対して画像認識を防止可能とすることを目的としており、この目的を達成するための具体的な構成について以下に説明する。尚、ここで左右および上下方向とは、例えば図２に示す携帯電話機１を例とした場合、表示部４を縦置きにした場合の左右および上下方向を示している。【００６４】  まず、本実施の形態に係る表示装置では、図１に示すＳＷ−ＬＣＤ１２において配向膜２４および配向膜２５を２種類の領域に分割し、各領域における配向方向を異ならせる構成となっている。具体例としては、図１１に示すように、配向膜２４における第１の領域２４１および第２の領域２４２を市松状に形成する。同様に、配向膜２５においても第１の領域および第２の領域を市松状に形成する。配向膜２４および配向膜２５においては、第１の領域同士および第２の領域同士を対向させる。尚、配向膜を領域分離するためのパターン形成は特に限定されるものではなく、上述のような市松状パターン以外にストライプ等のパターンであっても良い。但し、上記パターンによる画像は、狭視野角モード時において、メイン画像に重なることで該メイン画像を認識しにくくさせるためのパターン画像であるため、ある程度の細かいパターンを有することが好ましく、また、第１の領域と第２の領域との配分比率は５０：５０であることが好ましい。【００６５】  さらに、配向膜２４の第１の領域２４１および第２の領域２４２においては、一方のラビング方向を第１および第２偏光板１１・１３の偏光透過軸と平行にし、他方のラビング方向を第１および第２偏光板１１・１３の偏光透過軸と直交させる。配向膜２５においては、第１および第２の領域ともに、配向膜２４に対して互いに１８０度逆方向にして、配向方向をアンチパラレル構造にする。図１１の例では、第１および第２偏光板１１・１３の偏光透過軸のｙ方向とし、配向膜２４および配向膜２５における第１の領域のラビング方向を偏光透過軸と平行にし、第２の領域のラビング方向を偏光透過軸と直交させている。【００６６】  尚、上記配向膜２４および２５において、第１の領域と第２の領域とのラビング方向を異ならせるためには、例えば以下の手法を用いればよい。まず、ラビング前の配向膜に対して、第１の領域に対応したラビング方向にて配向膜全面に対して１回目のラビングを行う。その後、第１の領域のみをレジストにてマスクし、該マスク上から第２の領域に対応したラビング方向にて２回目のラビングを行う。この時、マスクの存在する第１の領域では１回目のラビングによるラビング方向が維持されるが、マスクの存在しない第２の領域では２回目のラビングによるラビング方向となる。このため、２回目のラビング後、上記マスクを除去すれば、第１の領域と第２の領域とでラビング方向の異なった配向膜が得られる。【００６７】  また、第１の領域と第２の領域とでラビング方向の異なった配向膜を得る方法は、上記手法に限定されるものではなく、例えば、光配向を用いてもそのような配向膜を得るが可能である。【００６８】  また、ＳＷ−ＬＣＤ１２において、上記配向膜２４および２５と組み合わされる透明電極膜２６および透明電極膜２７は、少なくとも一方の透明電極膜において、配向膜２４および２５の領域分割に合わせてほぼ市松状のパターンを有するように形成される。透明電極膜２６を例にとって図１２に示すと、透明電極膜２６は、第１の領域２６１および第２の領域２６２にパターン分割される。また、第１の領域２６１および第２の領域２６２のそれぞれは、電圧が印加可能となるように隅の部分を繋げ���形成されるため、透明電極膜２６は図１２に示すようなほぼ市松状のパターンとなる。透明電極膜２７は、透明電極膜２６と同様に、第１の領域および第２の領域にパターン分割されていても良く、あるいは、表示部４の全面に対応して形成される共通電極であっても良い。【００６９】  パターン分割された透明電極膜２６における第１の領域は、配向膜２４および２５における第１の領域に対応しており、この領域における液晶層２３に電圧を印加する。同様に、透明電極膜２６および２７における第２の領域は、配向膜２４および２５における第２の領域に対応しており、この領域における液晶層２３に電圧を印加する。これにより、ＳＷ−ＬＣＤ１２では、第１の領域および第２の領域のそれぞれにおける液晶層２３の液晶分子の配向を独立して制御することができる。【００７０】  上記構成の液晶表示装置は、第１の領域では、表示部４を縦置きにする向きにおいて、上述した液晶分子配向例１の状態となる。一方、第２の領域では、表示部４を横置きにする向きにおいて、上述した液晶分子配向例３の状態となる。【００７１】  このため、上記透明電極膜２６１を用いて上記第１の領域に対応する液晶層２３に電圧を印加することにより、上記第１の領域では、左右方向の斜めからの視線に対し、メインＬＣＤ１４の画像の視認を防止することができる。具体的には、メインＬＣＤ１４の画像に上記第１の領域に対応する市松状のパターン模様が重なって視認され、メイン画像の認識を阻害する。【００７２】  また、上記透明電極膜２６２を用いて上記第２の領域に対応する液晶層２３に電圧を印加することにより、上記第２の領域では、上下方向（表示部４を横置きにしてみる場合は左右方向）の斜めからの視線に対し、メインＬＣＤ１４の画像の視認を防止することができる。具体的には、メインＬＣＤ１４の画像に上記第２の領域に対応する市松状のパターン模様が重なって視認され、メイン画像の認識を阻害する。【００７３】  尚、上記説明における液晶表示装置は、第１および第２の領域において液晶分子配向例１、３を利用したものとなっているが、液晶分子配向例２、４を利用した液晶表示装置とすることも可能である。すなわち、液晶分子配向例２、４で用いられる垂直配向膜は、電圧無印加の状態で、ＳＷ−ＬＣＤ１２’の液晶分子を基板２１・２２と略垂直に一軸配向させるものであるが、電圧印加時の液晶分子の傾斜方向（回転方向）は、該垂直配向膜のラビング方向によって制御される。このため、上記第１の第２の領域において該垂直配向膜のラビング方向を異ならせることによって、液晶分子配向例１、３を利用した液晶表示装置と同様の効果を得ることができる。【００７４】  以上のように、本実施の形態に係る表示装置では、ＳＷ−ＬＣＤ１２における第１の領域および第２の領域にて液晶層２３に電圧印加を行わない場合、上下および左右方向からの斜め方向からの何れの視線に対してもメイン画像が視認でき、この場合を広視野角モードとする。また、狭視野角モードでは、第１の領域にて液晶層２３に電圧印加を行い、第２の領域にて液晶層２３に電圧印加を行わない場合に、左右方向からの斜め方向からの視線のみに対してもメイン画像の視認を防止し、第１の領域に���液晶層２３に電圧印加を行わず、第２の領域にて液晶層２３に電圧印加を行う場合に、上下方向からの斜め方向からの視線のみに対してもメイン画像の視認を防止し、第１および第２の領域の両方にて液晶層２３に電圧印加を行う場合に、上下および左右方向からの斜め方向からの視線に対してメイン画像の視認を防止する。【００７５】  以上、ＳＷ−ＬＣＤ１２がメインＬＣＤ１４より前面（表示面側）にあるものを例として説明しているが、図１３の表示部４４のように、メインＬＣＤ１４の背面（表示面の反対側）にあってもメインＬＣＤ１４への光の入射を制御できるので、視野角を制御することができる。なお、表示部４４では、偏光板１１と１７とをメインＬＣＤ１４両面に配し、ＳＷ−ＬＣＤ１２の外側表面に偏光板１３を配置している。【００７６】  しかし、ＳＷ−ＬＣＤ１２がメインＬＣＤ１４より前面にある方が、ＳＷ−ＬＣＤ１２により重ねられる画像の輪郭がはっきり表れる。また、複数画像表示モードにおいて、メインＬＣＤ１４が透過型の液晶表示を行う場合は、ＳＷ−ＬＣＤ１２が前面にあっても背面に合ってもよいが、反射型液晶表示を行う場合は、入射光がメインＬＣＤ１４を透過せずに反射するので、ＳＷ−ＬＣＤ１２はメインＬＣＤ１４の前面に配置する必要がある。【００７７】  一方、ＳＷ−ＬＣＤ１２がメインＬＣＤ１４より背面にあると、メインＬＣＤ１４を反射型液晶表示するときに、ＳＷ−ＬＣＤ１２で光が減衰されない。よって、透過反射型の液晶表示装置や、単一画像表示モードで反射型液晶表示をする場合には、ＳＷ−ＬＣＤ１２はメインＬＣＤ１４の背面に配置することが好ましい。【００７８】  また、上記例のＳＷ−ＬＣＤ１２では、配向膜のみならず透明電極膜をも領域分割することにより、上下方向と左右方向との視野角制御を独立して行えるようになっている。しかしながら、本発明の表示装置において、ＳＷ−ＬＣＤの透明電極膜については必ずしも領域分割されている必要はない。すなわち、透明電極膜が領域分割されずに共通電極として具備される構成では、上下方向と左右方向との視野角制御が同時に行われる。【００７９】  また、透明電極膜２６・２７の一方に上記図１２に示すようなパターニングを行い、他方の透明電極膜については、例えば特定のロゴ模様等の領域部分以外に電極が配置されるように電極パターニングを施されたものを使用する。これにより、少なくとも片方の透明電極膜に電圧が印加されないロゴ部分では、液晶分子に電圧がかからないので、配向方向が電圧無印加時と同じように基板２１・２２と略平行となっている。したがって、ロゴ部分だけは、どの方向から見てもＳＷ−ＬＣＤ１４における複屈折の影響を受けない。よって、狭視野角モード時において観察者が見る画像は、ロゴ部分以外で上記パターン画像が視認され、ロゴ部分で光が透過する、図１４の表示部のようなロゴ画像となる。【００８０】  また、本実施の形態の表示装置は、第１偏光板１３と第２偏光板１１との偏光透過軸が同じ方向のものを使用しているが、偏光透過軸同士が軸角度を持っている場合も、図１５に示すように、第２偏光板１１と基板２１との間に、入射する光の偏光方向を回転させる偏光回転部材５０を配置すれば、同じ機���を持たせることができる。つまり、偏光回転部材５０が、液晶分子から出射される直線偏光の偏光方向を回転させて、第２偏光板１１によって取り出されるような直線偏光にすることで、第１の偏光板１３と第２の偏光板１１との偏光透過軸が一致していなくても、第２偏光板１１に、上記液晶分子から出射する直線偏光を取り出させることができる。偏光回転部材５０としては、１／２λ板（位相差板）を用いることができる。【００８１】  なお、上記偏光回転部材５０は、第１偏光板１３と第２偏光板１１との間であれば、液晶層より光入射側に設置しても、光出射側に設置してもよい。また、第１偏光板１３より光入射側に偏光回転部材５０を設置してもよい。【００８２】  また、本実施の形態では、携帯電話機の液晶表示部に本発明を適用した場合について説明しているが、これに限られるものではなく、モバイルのパソコン、ＡＶ機器、ＤＶＤプレイヤー等の表示装置を有する携帯用電子機器に適用できる。あるいは、非携帯型の表示装置に適用し、視線方向によって異なる表示ができるディスプレイとして使用してもよい。【００８３】  以上のように、本発明に係る表示装置は、画像を表示するための映像表示手段と、視認される画像を、単一画像表示モードと複数画像表示モードとに電気的に切り替えるための表示切替手段とを備える表示装置において、上記表示切替手段は、単一画像モードでは、映像表示手段に表示される画像をどの方向からでも視認可能とし、複数画像表示モードでは、正面方向からは映像表示手段に表示される画像を視認可能とし、斜め方向からは映像表示手段に表示される画像に該表示切替手段にて形成されるパターン画像を重ねた画像を視認させるものであると共に、上記表示切替手段は、第１の領域と第２の領域とに領域分割されており、単一画像モードでは、上記第１の領域および第２の領域ともに、映像表示手段に表示される画像をどの方向からでも視認可能であり、複数画像表示モードでは、左右方向からの視線に対して上記第１の領域を非透過領域とするパターン画像を映像表示手段にて表示される画像に重ねた画像を視認させるか、あるいは、上下方向からの視線に対して上記第２の領域を非透過領域とするパターン画像を映像表示手段にて表示される画像に重ねた画像を視認させる。【００８４】  上記の構成によれば、上記映像表示手段にて表示される画像は、複数画像表示モード時における斜め方向からの視線に対し、上記表示切替手段によって形成されるパターン画像を重ねられることでその視認を防止される。【００８５】  さらに、上記表示切替手段は、第１の領域と第２の領域とに領域分割され、第１の領域にて左右方向の斜めからの視認を防止し、第２の領域にて上下方向の斜めからの視認を防止することで、左右および上下方向の斜めからの視線に対して画像認識を防止可能とする表示装置を実現することができる。【００８６】  また、上記表示装置では、上記表示切替手段は、一対の基板間に配された液晶層であると共に、さらに、上記表示切替手段に一定方向の直線偏光を入射させる第１偏光手段と、上記表示切替手段から出射する光のうち一定方向の直線偏光を取り出す第２偏光手段とを備えており、上記液晶層の液晶分子を基板と直交する方��から投射した場合の液晶分子の長軸方向と、上記液晶分子に入射する光の直線偏光方向とが、上記第１の領域および第２の領域の一方では常に略平行、他方では略垂直となるように配向分割されており、上記第２の偏光手段が、上記液晶分子から出射する直線偏光を取り出しており、単一画像表示モードでは、上記第１の領域および第２の領域ともに、液晶分子の長軸方向が上記基板と略平行または略垂直となるように配向されており、複数画像表示モードでは、上記第１の領域および第２の領域の少なくとも一方において、液晶分子の長軸方向が基板に対して傾斜するように配向されている構成とすることができる。【００８７】  上記の構成によれば、上記液晶層の液晶分子の長軸方向は、上記第１偏光手段の透過軸または吸収軸の方向と光の進行方向とがなす面に含まれており、上記液晶分子は、その長軸方向が、光の進行方向に対して略垂直または略平行である状態と、光の進行方向に対して傾斜している状態とを取り得る構成である。ここで、傾斜とは、或る方向または或る平面に対し、平行でも垂直でもないことを意味する。【００８８】  言い換えれば、上記液晶層の液晶分子の長軸方向が、単一画面表示モードでは、上記基板と略平行、かつ、第１偏光手段の偏光透過軸に略平行または略垂直であり、複数画像表示モードでは、この単一画面表示モードの状態から、基板に垂直な方向に傾斜する。あるいは、上記液晶層の液晶分子の長軸方向が、単一画面表示モードでは、上記基板と略垂直であり、複数画像表示モードでは、この単一画面表示モードの状態から、第１偏光手段の偏光透過軸に略平行または略垂直で、かつ、基板に垂直な面内にて傾斜する。【００８９】  これによれば、第１偏光手段により、表示切替手段に入射する光が一定方向の直線偏光となる。また、表示切替手段の液晶層においては、液晶分子を基板と直交する方向から投射した場合の長軸方向が、第１偏光手段を透過した光の偏光方向と常に略平行または略垂直となるように配向している。【００９０】  液晶層に入射する直線偏光の偏光方向と、ある方向から液晶分子を投射した場合の長軸方向とが平行または垂直である場合、この方向から見たときに液晶層での複屈折は生じない。したがって、選択されたモードに限らず、配向変化により液晶分子上の点が描く平面と平行な方向から（以下、「正面方向から」と言う）見た液晶層では複屈折が生じない。よって、例えば、第１偏光手段と第２偏光手段との偏光透過軸を同方向にしたり、第１偏光手段を出射する直線偏光を、第２の偏光手段の透過軸と一致するように偏光方向を回転させて第２偏光手段に入射させる部材を設置することで、第１偏光手段と同じ方向の直線偏光を第２偏光手段にて取り出せば、映像表示装置の画像が視認できる。【００９１】  一方、上記正面方向以外から見た場合（以下斜め方向から見た場合、と言う）には、単一画面表示モードか、複数画面表示モードとで、視認される画像が異なる。【００９２】  単一画面表示モードでは、上記第１の領域および第２の領域ともに、液晶分子の長軸方向が上記基板と略平行または略垂直となっているので、斜め方向から投射した場合の液晶分子の長軸方向も、正面から見た場合と同じになる。よって、斜め方向か��見ても、液晶分子に複屈折が生じず、入射光が液晶層と第２偏光手段とを通過させることができ、映像表示装置の画像が視認できる。【００９３】  これに対し、複数画面表示モードでは、液晶分子の長軸方向を基板に対して傾斜させることで斜め方向から投射した場合の液晶分子の長軸方向が、入射光の偏光方向と交差角をもつ。よって、斜め方向から見た場合に、液晶分子に複屈折が生じ、液晶層を透過した光の偏光方向が変わり、第２偏光手段を通過させることができなくなり、映像表示装置の画像が視認できなくなる。【００９４】  したがって、単一画面表示モードでは、どの方向からでも映像表示手段が表示する画像を視認でき、複数画像モードでは、特定の方向からのみ映像表示手段が表示する画像を視認できる。よって、この表示装置で、公共の場所で機密文書を閲覧したいときや、撮影した画像を多人数で見たいときなどの状況に合わせて、視野角を変更できる。【００９５】  また、このような構成によれば、複屈折を制御することにより視野角を制御しているので、簡単な構成で、映像表示装置の表示品位は良好に保つことができる。【００９６】  また、上記液晶表示装置では、上記複数画像表示モードにおいては、上記液晶層に電圧を印加するための透明電極膜を上記第１および第２の領域に分割してパターニングすることによって、上記第１の領域および上記第２の領域における視野角制御を独立して行えることが好ましい。【００９７】  上記の構成によれば、表示装置の使用形態に応じて、左右方向および上下方向の斜めからの視線に対する画像認識を独立して制御できる。【００９８】  本発明の電子機器は、以上のような表示装置を搭載している。【００９９】  したがって、簡単な構成で、表示品位が保たれ、モード切替によって、特定の方向からは表示画像を隠すことのできる表示ができる電子機器を実現できる。
【産業上の利用可能性】
【０１００】  本発明の表示装置は、視線の方向によって異なる画像が視認されるようなモードに設定できるので、携帯通信端末やモバイルのパソコン、ＡＶ機器、ＤＶＤプレイヤー等の携帯用電子機器のディスプレイ、あるいは、視線に方向によって複数の情報を提示できるディスプレイ等に適用できる。
【図１】
0004629049.tif 000002
【図２】
0004629049.tif 000003
【図３】
0004629049.tif 000004
【図４】
0004629049.tif 000005
【図５】
0004629049.tif 000006
【図６】
0004629049.tif 000007
【図７】
0004629049.tif 000008
【図８】
0004629049.tif 000009
【図９】
0004629049.tif 000010
【図１０】
0004629049.tif 000011
【図１１】
0004629049.tif 000012
【図１２】
0004629049.tif 000013
【図１３】
0004629049.tif 000014
【図１４】
0004629049.tif 000015
【図１５】
0004629049.tif 000016